(57)【特許請求の範囲】
【請求項１】
開口を有する筐体部と、この筐体部の内方に一端が突出し外部音源からの電気信号導入用端子部となり、前記筐体から外方に突出した他端側が先端を縦方向に切り欠いて形成したフレキシブルワイヤーを挟み込んで仮止めすると共に、前記フレキシブルワイヤーを半田付け固定する切起部とこの延長線上の上記筐体部に向かう方向に設けられた上記フレキシブルワイヤーの先端が当接する起立壁部と上記起立壁部と上記切起部間に設けられた側端からの切り込みからなる一対の端子板とで構成されるスピーカ用ターミナル。
【請求項２】
開口を有する筐体部と、この筐体部の内方に一端が突出し外部音源からの電気信号導入用端子部となり、前記筐体から外方に突出した他端側が先端を縦方向に切り欠いて形成したフレキシブルワイヤーを挟み込んで仮止めし、前記フレキシブルワイヤーを半田付け固定する切起部とこの延長線上の上記筐体部との間の他方の端子板側に設けられた壁部と上記切起部と上記筐体間に設けられた側端からの切り込みとからなる一対の端子板とで構成されるスピーカ用ターミナル。
【請求項３】
磁気回路と、この磁気回路に結合されたフレームと、磁気回路の磁気ギャップにはめ込まれるボイスコイルを内周に結合し外周を上記フレームに結合した振動板と、上記フレームに固着され一端がフレキシブルワイヤーを介して上記ボイスコイルに接続され他端が外部音声信号の入力部となる端子板を設けた請求項１または請求項２に記載のスピーカ用ターミナルとで構成されるスピーカ。
【発明の詳細な説明】
【０００１】
【発明の属する技術分野】
本発明は各種音響機器に使用されるスピーカ用ターミナルおよびこれを用いたスピーカに関するものである。
【０００２】
【従来の技術】
スピーカ用ターミナルは音声信号増幅器とスピーカのボイスコイル間の接続の中継用としてスピーカのフレームに固定されているが、近年、音声信号増幅器からの接続用端子はコネクターとなっていることから、このコネクターと合致するコネクター形状となっており、ボイスコイルと接続される端部は先端部に穴等を設け、そこにボイスコイルの端末に接続された錦糸線等のフレキシブルワイヤーを挿入半田付けして固定する構造が用いられていた。
【０００３】
ここで、上記従来のスピーカ用ターミナルについて、図４、図５、図６、図７により説明する。
【０００４】
図４は従来のスピーカの断面図であり、図５は同斜視図、図６は同振動板結合前の要部上面図、図７は同要部であるスピーカ用ターミナルの斜視図である。
【０００５】
同図によると、１は上部プレートとマグネットと下部プレートからなり磁気ギャップ１ａを有する磁気回路であり、２はこの磁気回路１に結合された樹脂フレームであり、３は外周をエッジ部３ａを介して上記フレーム２に結合し、内周を上記磁気ギャップ１ａにはめ込まれるボイスコイル４に結合した振動板であり、５は一端を上記ボイスコイル４の線輪（図示せず）に接続し、他端を上記フレーム２に装着されたスピーカ用ターミナル６に接続した錦糸線等のフレキシブルワイヤーである。
【０００６】
スピーカ用ターミナル６は一対の端子板６ａを一方を開口にした樹脂製の筐体部６ｂの壁面に圧入により植設やインサート成形によって一体化を図っている。
【０００７】
上記筐体部６ｂの外方の上記端子板６ａの先端近傍にはフレキシブルワイヤー５の挿入用の孔６ｃが設けられている。
【０００８】
フレキシブルワイヤー５は上記振動板３をボイスコイル４に結合する以前のボイスコイル４を上記磁気ギャップ１ａにはめ込んだ状態の時にスピーカ用ターミナル６の上記端子板６ａの孔６ｃにフレキシブルワイヤー５の先端を挿入して半田付けにより固着するものである。
【０００９】
なお、筐体部６ｂの開口に図示しないコネクターが挿入され上記端子板６ａと接続され、外部音源からの電気信号がスピーカ用ターミナル６を介してボイスコイル４の線輪に供給し、スピーカが発音することになる。
【００１０】
【発明が解決しようとする課題】
しかしながら、上述のスピーカ用ターミナルでは、端子板６ａのボイスコイル４側にはフレキシブルワイヤー５の挿入用の孔６ｃのみであるので、半田付け時の作業のバラツキによってボイスコイル４とスピーカ用ターミナル６間のフレキシブルワイヤー５の長さの設定を一定にすることが困難で且つ、作業が煩雑になるものであり、ボイスコイル４に接続されるフレキシブルワイヤー５のスピーカ用ターミナル６とボイスコイル４間の長さのバラツキによってボイスコイル４の動きを抑制したり、振動板３とスピーカ駆動中に衝突して異音が発生するなどの課題を有するものであった。
【００１１】
本発明は上記課題を解決するもので、ボイスコイル側のフレキシブルワイヤーの半田付け位置を容易に規制し、スピーカの品質を安定させることのできるスピーカ用ターミナルとスピーカの提供を可能とするものである。
【００１２】
【課題を解決するための手段】
上記課題を解決するために本発明のスピーカ用ターミナルは、開口を有する筐体部と、この筐体部の内方に一端が突出し外部音源からの電気信号導入用端子部となり、前記筐体から外方に突出した他端側が先端を縦方向に切り欠いて形成したフレキシブルワイヤーを挟み込んで仮止めすると共に、前記フレキシブルワイヤーを半田付け固定する切起部とこの延長線上の上記筐体部に向かう方向に設けられた上記フレキシブルワイヤーの先端が当接する起立壁部と上記起立壁部と上記切起部間に設けられた側端からの切り込みからなる端子板とで構成したので、フレキシブルワイヤーは一部を切り欠いた切起部に容易に仮固定されるとともに、先端部分を起立壁部に当接させることで半田付けのための必要長さを一定量に規制でき、ボイスコイルに接続されるフレキシブルワイヤーのスピーカ用ターミナルとボイスコイル間の所要長さを安定して確保することができ、フレキシブルワイヤーの上記所要長さに起因するスピーカの品質のバラツキを抑制することができるものであるとともに、前記側端からの切り込みによって切起部でのフレキシブルワイヤーの半田付け固定時の筐体部（端子根元）への熱伝達経路を長くし、プラスチックの成形体である筐体部の熱変形を抑制し、外部音源からの電気信号を伝達するコネクタの筐体部内への挿入時の不具合を阻止するものである。
【００１３】
【発明の実施の形態】
本発明の請求項１に記載の発明は、開口を有する筐体部と、この筐体部の内方に一端が突出し外部音源からの電気信号導入用端子部となり、前記筐体から外方に突出した他端側が先端を縦方向に切り欠いて形成したフレキシブルワイヤーを挟み込んで仮止めすると共に、前記フレキシブルワイヤーを半田付け固定する切起部とこの延長線上の上記筐体部に向かう方向に設けられた上記フレキシブルワイヤーの先端が当接する起立壁部と上記起立壁部と上記切起部間に設けられた側端からの切り込みからなる端子板とで構成したので、このスピーカ用ターミナルに半田付け接続されるフレキシブルワイヤーは一部を切り欠いた切起部に容易に仮固定されるとともに、先端部分を起立壁部に当接させることで半田付けのための必要長さを一定量に規制でき、ボイスコイルに接続されるフレキシブルワイヤーのスピーカ用ターミナルとボイスコイル間の所要長さを安定して確保することができ、上記所要長さに起因するスピーカの品質のバラツキを抑制することができるものである。
【００１４】
更に、端子板の起立壁部と切起部間に側端からの切り込みを設けたことでフレキシブルワイヤーの半田付け固定時の筐体部（端子根元）への熱伝達経路を長くし、プラスチックの成形体である筐体部の熱変形を抑制し、外部音源からの電気信号を伝達するコネクタの筐体部内への挿入時の不具合を阻止するものである。
【００１５】
本発明の請求項２に記載の発明は、開口を有する筐体部と、この筐体部の内方に一端が突出し外部音源からの電気信号導入用端子部となり、前記筐体から外方に突出した他端側が先端を縦方向に切り欠いて形成したフレキシブルワイヤーを挟み込んで仮止めし、前記フレキシブルワイヤーを半田付け固定する切起部とこの延長線上の上記筐体部との間の他方の端子板側に設けられた壁部と上記切起部と上記筐体間に設けられた側端からの切り込みからなる一対の端子板とで構成し、このスピーカ用ターミナルに半田付け接続されるフレキシブルワイヤーの先端部分を筐体部に当接させることで半田付けのための必要長さを一定量に規制でき、ボイスコイルに接続されるフレキシブルワイヤーのスピーカ用ターミナルとボイスコイル間の所要長さを安定して確保して、上記所要長さに起因するスピーカの品質のバラツキを抑制することができるという請求項１記載のものと同様の効果を有するとともに、更に、壁部によって上記フレキシブルワイヤーのスピーカ用ターミナルへの半田付け時の熱によるフレキシブルワイヤー先端の曲がりによるもう一方の端子板との接触を防止し、短絡を防止するという効果も有するものである。
【００１６】
更に、端子板の切起部と筐体間に側端からの切り込みを設けたことで、この切り込みによって切起部でのフレキシブルワイヤーの半田付け固定時の筐体部（端子根元）への熱伝達経路を長くし、プラスチックの成形体である筐体部の熱変形を抑制し、外部音源からの電気信号を伝達するコネクタの筐体部内への挿入時の不具合を阻止するものである。
【００１７】
本発明の請求項３に記載の発明は、磁気回路と、この磁気回路に結合されたフレームと、磁気回路の磁気ギャップにはめ込まれるボイスコイルを内周に結合し外周を上記フレームに結合した振動板と、上記フレームに固着され一端がフレキシブルワイヤーを介して上記ボイスコイルに接続され他端が外部音声信号の入力部となる端子板を設けた請求項１〜請求項２のいずれかに記載のスピーカ用ターミナルとで構成したものであり、上記フレキシブルワイヤーの上記スピーカ用ターミナルへの半田付け位置が特定されて、ボイスコイルとスピーカ用ターミナル間のフレキシブルワイヤーの所要長さを安定して確保し、スピーカの駆動中の上記フレキシブルワイヤーの他部品への接触をなくし異音の発生を防止し、また、ボイスコイルの駆動の阻害要因となることを防止した品質の安定したスピーカの提供を可能とするものである。
【００１８】
以下、本発明のスピーカ用ターミナルの一実施の形態について図１〜図３により説明する。
【００１９】
なお、従来技術と同一部分は同一番号を付して説明を省略し、また、スピーカの全体構成も従来技術と同じであるので説明は省略する。
【００２０】
（実施の形態１）
図１は、本発明の一実施の形態であるスピーカ用ターミナルの斜視図である。
【００２１】
同図によると、１０はスピーカ用ターミナルであり、１０ｂはプラスチック製の一方に開口を有する筐体部であり、１０ａはこの筐体部１０ｂにアウトサート成型や圧入等によって開口内に突出する端子板であり、１０ｃは端子板１０ａの筐体部１０ｂ内に突出した一方端側の電気信号導入用の端子部であり、図示しない外部信号を供給するコネクタが接続されるものである。
【００２２】
１０ｄは端子板１０ａの筐体部１０ｂの外方の他端側に設けられた錦糸線等のフレキシブルワイヤー５が挟み込まれる先端を縦方向に切り欠いて設けた切起部であり、１０ｅはこの切起部１０ｄの筐体部１０ｂに向かう直線上に上記切起部１０ｄに対向するように上記端子板１０ａの一部を切断し折り曲げて形成した起立壁である。
【００２３】
フレキシブルワイヤー５のスピーカ用ターミナル１０への半田付けによる接続は、上記起立壁１０ｅにフレキシブルワイヤー５の先端を当接させた状態で上記切起部１０ｄに挟み込んで若干変形させて仮固定し、引き続きこの切起部１０ｄで半田付けしてフレキシブルワイヤー５とスピーカ用ターミナル１０への接続を行うものである。
【００２４】
以上のように、フレキシブルワイヤー５は先端を起立壁１０ｅに当接した状態で仮固定・半田付けが行われるので、スピーカ用ターミナル１０に接続するためのフレキシブルワイヤー５先端長さがバラツキの少ない安定したものとなり、ボイスコイル４とスピーカ用ターミナル間１０のフレキシブルワイヤー５の所要長さを安定して確保し、スピーカの駆動中の上記フレキシブルワイヤー５の他部品への接触をなくし異音の発生を防止し、また、ボイスコイルの駆動の阻害要因となることを防止することが可能となるものである。
【００２５】
また、端子板１０ａを切断し折り曲げて起立壁１０ｅを設け、これにより形成された端子板１０ａの側端からの切り込み１０ｆにより半田付けされる切起部１０ｄと筐体部１０ｂまでの熱伝導の道を狭くでき、また、起立壁１０ｅが放熱板の役割を果たし、筐体部１０ｂへの熱の影響を抑制して筐体部１０ｂの開口内の変形を防止し、コネクタの挿入を安定的に行えるものである。
【００２６】
また、起立壁１０ｅの切り込み１０ｆ部分は下面側からの半田付け状態を黙視のための窓部としても機能させることができるものである。
【００２７】
（実施の形態２）
本発明の他の実施の形態を図２、図３により説明する。図２はスピーカ用ターミナルの斜視図であり、図３はフレキシブルワイヤーを装着した状態のスピーカ用ターミナルの斜視図である。なお、実施の形態１と同一部分は同一番号を付し、説明を省略し、相違点である端子板１１の構成のみ説明する。
【００２８】
１０ｄは端子板１１の先端部に設けられた実施の形態１と同様の先端を縦方向に切り欠いて設けた切起部であり、１１ａは並設された端子板１１の上記切起部１０ｄの筐体部１０ｂ側への延長線上の並設する他方の端子板１１側に設けられた端子板１１を折り曲げて形成した壁部であり、壁部１１ａの反対側の上記筐体部１０ｂと上記切起部１０ｄ間には実施の形態１と同様の効果を持つ端子板１１の側端からの切り込み１０ｆを設けている。
【００２９】
以上のように、本実施の形態においては、フレキシブルワイヤー５を筐体部１０ｂに当接させた状態で上記切起部１０ｄで仮固定することで、スピーカ用ターミナル１０へのフレキシブルワイヤー５の接続時の所要長さを安定的に確保し、実施の形態１と同様の効果を有するものである。
【００３０】
また、壁部１１ａによる放熱や切り込み１０ｆにより筐体部１０ｂへの熱伝導を抑制し、熱による筐体部１０ｂの変形やこれによるコネクタの挿抜の不具合を防止するとともに、更にフレキシブルワイヤー５を切起部１０ｄに仮固定し、半田付けした時、半田の熱によりフレキシブルワイヤー５の先端が曲がって並設された他方の端子板１１に接触することを上記壁部１１ａに当接させることで防止することができるものである。
【００３１】
なお、上記各実施の形態においてはスピーカ用ターミナルについて説明したが、従来技術で説明したスピーカに用いることによってボイスコイル４とスピーカ用ターミナル１０間のフレキシブルワイヤーの所要長さを安定して確保し、スピーカの駆動中の上記フレキシブルワイヤーの他部品への接触をなくし異音の発生を防止し、また、ボイスコイルの駆動の阻害要因となることを防止した品質の安定したスピーカの提供を可能とするものである。
【００３２】
【発明の効果】
以上のように本発明のスピーカ用ターミナルは、先端部分を起立壁部や筐体部に当接させることで半田付けのための必要長さを一定量に規制でき、ボイスコイルに接続されるフレキシブルワイヤーのスピーカ用ターミナルとボイスコイル間の所要長さを安定して確保することができ、フレキシブルワイヤーの上記所要長さに起因するスピーカの品質のバラツキを抑制することができるものであるとともに、切起部でのフレキシブルワイヤーの半田付け固定時の筐体部（端子根元）への熱伝達経路を長くし、プラスチックの成形体である筐体部の熱変形を抑制し、外部音源からの電気信号を伝達するコネクタの筐体部内への挿入時の不具合を阻止するという効果も有するものである。
【図面の簡単な説明】
【図１】本発明のスピーカ用ターミナルの一実施の形態の斜視図
【図２】同他の実施の形態のスピーカ用ターミナルの斜視図
【図３】同要部である端子板近傍におけるフレキシブルワイヤーの半田付け時の状態を説明するための斜視図
【図４】従来のスピーカの断面図
【図５】同斜視図
【図６】同振動板をフレームに結合する前のスピーカ用ターミナル近傍の拡大部分上面図
【図７】従来のスピーカ用ターミナルの斜視図
【符号の説明】
１  磁気回路
２  フレーム
３  振動板
４  ボイスコイル
５  フレキシブルワイヤー
１０  スピーカ用ターミナル
１０ａ，１１  端子板
１０ｂ  筐体部
１０ｄ  切起部
１０ｅ  起立壁
１０ｆ  切り込み
１１ａ  壁部
【図１】
0003985386.tif 000002
【図２】
0003985386.tif 000003
【図３】
0003985386.tif 000004
【図４】
0003985386.tif 000005
【図５】
0003985386.tif 000006
【図６】
0003985386.tif 000007
【図７】
0003985386.tif 000008